(57)【特許請求の範囲】
【請求項１】
所定の受信手段を備え、所定の送信手段の固有の識別符号を登録させる通信システムの認証登録装置において、
前記受信手段は、前記識別符号の登録を行うための操作を行う操作手段と、
前記識別符号を一時的に記憶する第１の記憶手段と、
前記識別符号を正規の識別符号として記憶する第２の記憶手段と、
前記第１の記憶手段に記憶された前記識別符号が当該送信手段の識別符号であるか否かを表示する表示手段と、
前記操作手段の操作に応じて前記第１の記憶手段及び前記第２の記憶手段並びに前記表示手段を制御する制御手段とを有し、
前記制御手段は、前記操作手段を操作したときに前記送信手段から供給されている前記識別符号を前記第１の記憶手段に記憶させ、
前記第１の記憶手段に記憶した識別符号を受信しているとき、前記表示手段に前記第１の記憶手段に記憶した識別符号を受信している旨の表示をさせ、前記第１の記憶手段に記憶した識別符号とは異なる該当の送信手段以外の識別符号を受信しているときには、前記表示手段に該当の送信手段以外の識別符号を受信している旨の表示をさせ、
前記表示手段に該当の送信手段以外の識別符号を受信している旨の表示がされているときに、前記操作手段の操作があった場合には、前記第１の記憶手段に記憶した識別符号を前記送信手段から送信された識別符号に更新し、
前記表示手段に前記第１の記憶手段に記憶した識別符号を受信している旨の表示がされた後、前記表示手段に前記送信手段からの識別符号を受信していない旨の表示をしているときに前記操作手段の操作があった場合には、前記第１の記憶手段に記憶された前記識別符号を正規の識別符号として前記第２の記憶手段に記憶させることを特徴とする通信システムの認証登録装置。
【発明の詳細な説明】
【０００１】
【発明の属する技術分野】
本発明は、通信の際に受信機が送信機を認証するためのＩＤコードを予め登録する通信システムの認証登録装置に関する。
【０００２】
【従来の技術】
近年、無線による通信システムにおいて、複数の送受信機間で通信を行い、又は単一の受信機に対して複数の送信機との間で通信を行う際に、受信側で通信相手の送信機が正規の送信機か否かの認証を行う必要があり、受信機側で正規の送信機のＩＤコードを予め認証登録しておく。そして、通信時に当該送信機より送信されたＩＤコードと登録したＩＤコードを比較し、一致したときに通信開始とすることが行われる。従って、受信側でのＩＤコード登録において誤登録を防止する必要がある。
【０００３】
そこで、図３に、従来の認証登録装置のブロック図を示す。図３は、通信システム１１における送信機１２及び受信機１３を示しており、受信機１３は認証登録を行うための構成として、復調器１４，マイクロコンピュータ１５，登録メモリ１６，表示器１７を備えると共に、登録動作を行うための登録スイッチ１８がマイクロコンピュータ１５に接続される。また、送信機１２は、受信機１３に当該送信機自体の固有のＩＤコードを登録させるために、該ＩＤコードを含むＩＤデータを受信機１３に送信する。
【０００４】
そこで、図４に、従来の認証登録のフローチャートを示す。図４において、まず、受信機１３側で登録スイッチ１８をオン状態にし（ステップ（Ｓ）１）、この状態で送信機１２より固有のＩＤコードを含むＩＤデータを送信させる（Ｓ２）。受信器１３側では、受信したＩＤデータを復調器１４により復調してマイクロコンピュータ１５に送出し、該マイクロコンピュータ１５で予め定められたアドレスで当該ＩＤコードを登録メモリに登録する（Ｓ３）。
【０００５】
そして、マイクロコンピュータ１５は、ＩＤコードの登録メモリ１６への登録を完了させると、その旨の表示を行わせるべき信号を表示器１７に出力して受信表示をさせるものである（Ｓ４）。
【０００６】
【発明が解決しようとする課題】
しかし、ＩＤコードの登録を行う受信機１３に対して、複数の送信機１２が存在する環境で、該当の送信器１２以外の送信機のＩＤコードが登録メモリ１６に誤登録された場合に個別に修正できない構成になっているという問題がある。すなわち、登録メモリ１６には個々のＩＤコードを順次登録することができるが、個々にＩＤコードを消去することができず、全体を消去する方法が採られている。そのため、全体を消去すると正しく登録されていたＩＤコードをも消去され、再登録が必要となって煩雑であるという問題がある。また、登録が完了するとそのまま動作状態となってしまうため、そのまま他の送信機によって意図せぬ動作を行ってしまう危険があった。
【０００７】
そこで、本発明は上記課題に鑑みなされたもので、複数の送信機におけるＩＤコードの誤登録の防止を図る通信システムの認証登録装置を提供することを目的とする。
【０００８】
【課題を解決するための手段】
上記課題を解決するために、本発明は所定の受信手段を備え、所定の送信手段の固有の識別符号を登録させる通信システムの認証登録装置において、
前記受信手段は、前記識別符号の登録を行うための操作を行う操作手段と、
前記識別符号を一時的に記憶する第１の記憶手段と、
前記識別符号を正規の識別符号として記憶する第２の記憶手段と、
前記第１の記憶手段に記憶された前記識別符号が当該送信手段の識別符号であるか否かを表示する表示手段と、
前記操作手段の操作に応じて前記第１の記憶手段及び前記第２の記憶手段並びに前記表示手段を制御する制御手段とを有し、
前記制御手段は、前記操作手段を操作したときに前記送信手段から供給されている前記識別符号を前記第１の記憶手段に記憶させ、
前記第１の記憶手段に記憶した識別符号を受信しているとき、前記表示手段に前記第１の記憶手段に記憶した識別符号を受信している旨の表示をさせ、前記第１の記憶手段に記憶した識別符号とは異なる該当の送信手段以外の識別符号を受信しているときには、前記表示手段に該当の送信手段以外の識別符号を受信している旨の表示をさせ、
前記表示手段に該当の送信手段以外の識別符号を受信している旨の表示がされているときに、前記操作手段の操作があった場合には、前記第１の記憶手段に記憶した識別符号を前記送信手段から送信された識別符号に更新し、
前記表示手段に前記第１の記憶手段に記憶した識別符号を受信している旨の表示がされた後、前記表示手段に前記送信手段からの識別符号を受信していない旨の表示をしているときに前記操作手段の操作があった場合には、前記第１の記憶手段に記憶された前記識別符号を正規の識別符号として前記第２の記憶手段に記憶させることを特徴とする。
【０００９】
上述のように本発明によれば、制御手段が受信した識別符号を操作手段の操作に応じて第１の記憶手段に適宜更新させて一時記憶させ、表示手段による該当の送信手段の識別符号である旨の表示により、確認した後に操作手段の操作に応じて第２の記憶手段に転送して正規に登録させる。これにより、第１の記憶手段での識別符号の記憶内容を確認させてから第２の記憶手段に正規登録させることから誤登録が防止され、誤登録による煩雑性を回避させることが可能となる。
【００１０】
【発明の実施の形態】
図１に、本発明の一実施例の構成図を示す。図１は、通信システム２１における送信機２２及び受信手段を含む認証登録装置２３の認証登録に対応する構成図を示したものである。図１において、送信機２２は、ＩＤコードメモリ３１，マイクロコンピュータ３２，及び変調器３３を備えると共に、送信のための送信スイッチ３４を備える。
【００１１】
送信機２２におけるＩＤコードメモリ３１には、当該送信機２２固有の識別符号であるＩＤコードが予め記憶されており、マイクロコンピュータ３２が送信スイッチ３４に応じてＩＤコードを読み出し、変調器３３で変調させた後にＩＤデータとして認証登録装置２３に送信する。
【００１２】
一方、認証登録装置２３は、復調器４１，制御手段であるマイクロコンピュータ４２，第１の記憶手段である第１のメモリ４３，第２の記憶手段である第２のメモリ４４，及び表示器４５を備えると共に、操作手段である登録スイッチ４６を備える。
【００１３】
認証登録装置２３における復調器４１は、受信したＩＤデータを復調してＩＤコードをマイクロコンピュータ４２に送出する。第１のメモリ４３は受信したＩＤコードを一時記憶するもので、第２のメモリ４４はＩＤコードを正規に登録するものである。表示器４５は、主に第１のメモリ４３に記憶したＩＤコードが受信された場合に表示を行なうもので、登録スイッチ４６は主にＩＤコードを第１のメモリ４３に一時記憶させたり、第２のメモリ４４に第１のメモリ４３内のＩＤコードを転送、登録させるための操作をマイクロコンピュータ４２に対して行うものである。
【００１４】
なお、第１のメモリ４３は、記憶時の登録スイッチ４６の操作によるマイクロコンピュータ４２の指示により以前の記憶内容が受信されているものに更新される。
なお、送信機２２が受信機能を有する送受信機の場合には、図中の認証登録装置２３の構成を備える（マイクロコンピュータは兼用できる）。同様に、認証登録装置２３が送信機能を有する送受信機の場合には、図中の送信機２２の構成を備えるものである（マイクロコンピュータは兼用）。
【００１５】
そこで、図２に、図１の認証登録のフローチャートを示す。図２において、まず、認証登録装置２３において登録スイッチ４６がオン状態にされる（Ｓ１１）。次に、送信機２２において送信スイッチ３４が押されることによりＩＤコードメモリ３１より読み出したＩＤコードを変調器３３で変調してＩＤデータとして送信させる（Ｓ１２）。
【００１６】
認証登録装置２３側では、受信したＩＤデータを復調器４１で復調してＩＤコードとしてマイクロコンピュータ４２に送出し、当該ＩＤコードが第１のメモリ４３に記憶（仮登録）される（Ｓ１３）。ここで、マイクロコンピュータ４２は第１のメモリ４３に記憶したＩＤコードが受信されている場合には、表示器４５にその旨の表示（点灯）をさせ、該当の送信機２２以外の送信機のものである場合には、表示器４５にその旨の表示（点滅）をさせる。
これらの表示により、送信機２２の操作によって表示器４５に該当の送信機２２のＩＤコードが第１のメモリ４３に記憶（仮登録）させた旨の表示がされたか否かの判断がなされる（Ｓ１４）。
【００１７】
Ｓ１４で表示器４５に異なるＩＤの受信がされている旨の表示（点滅）がなされている場合には、第１のメモリ４３への仮登録が失敗したものとして、送信機２２をオン状態にすることにより送信機２２よりＩＤデータを送信しながら、再度登録スイッチ４６をオン状態にする（Ｓ１５）。これによって、第１のメモリ４３に記憶した以前の内容のものが消去され、受信されているものに更新される（Ｓ１６）。これを、表示器４５に第１のメモリ４３に記憶したＩＤコードが受信されている旨の表示（点灯）がなされるまでに繰り返す。
【００１８】
次に、表示器４５に第１のメモリ４３に記憶したＩＤコードが受信されている旨の表示（点灯）がなされたあと、非受信表示（消灯）となったとき、再度登録スイッチ４６をオン状態にすると（Ｓ１７）、マイクロコンピュータ４２は第１のメモリ４３に記憶されたＩＤコードを読み出して第２のメモリ４４の指定されたアドレスに転送して記憶させ、正規の登録をするものである（Ｓ１８）。
【００１９】
このように、受信したＩＤコードを一旦第１のメモリ４３に記憶させることにより、この状態での記憶したＩＤコードの真偽が確認され、また正規のＩＤコードを該第１のメモリ４３に記憶させるまで更新させることで第２のメモリ４４に正規の登録を確実に行うことができ、誤登録を防止することができるものである。
【００２０】
図１に戻り、第２のメモリ４４に正規に登録されたＩＤコードは、送信機２２からの通信要求に対して、該送信機２２からのＩＤコードと第２のメモリ４４より読み出したＩＤコードとを比較し、一致したときに相互に通信可能状態とするものである。
【００２１】
【発明の効果】
以上のように、本発明によれば、制御手段が受信した識別符号を操作手段の操作に応じて第１の記憶手段に適宜更新させて一時記憶させ、表示手段による該当の送信手段の識別符号である旨の表示により、確認した後に操作手段の操作に応じて第２の記憶手段に転送して正規に登録させることにより、第１の記憶手段での識別符号の記憶内容を確認させてから、第２の記憶手段に正規登録させることから誤登録が防止され、誤登録による煩雑性を回避させることができる。
【図面の簡単な説明】
【図１】本発明の一実施例の構成図である。
【図２】図１の認証登録のフローチャートである。
【図３】従来の認証登録装置のブロック図である。
【図４】従来の認証登録のフローチャートである。
【符号の説明】
２１  通信システム
２２  送信機
２３  認証登録装置
３１  ＩＤコードメモリ
３２，４２  マイクロコンピュータ
３３  変調器
３４  送信スイッチ
４１  復調器
４３  第１のメモリ
４４  第２のメモリ
４５  表示器
４６  登録スイッチ
【図１】
0003819465.tif 000002
【図２】
0003819465.tif 000003
【図３】
0003819465.tif 000004
【図４】
0003819465.tif 000005